(57)【要約】  【課題】  スライダ、クリッピングガイドウェイ及び弾力係合部材を備えた線形伝動システムの保持装置を提供する。  【解決手段】  前記スライダは、上保持器に係合台が開設され、クリッピングガイドウェイは、両保持部の間が両弾性部材で接続して対称に配置され、かつ両保持部間の距離は、両弾性部材により変更可能で、かつ弾力係合部材は前記クリッピングガイドウェイの両保持部に枢設されると同時に、前記上保持器に対応する係合台に両弾力係合部が設けられ、クリッピングガイドウェイが前記スライダに取り付けられたとき、クリッピングガイドウェイの両弾性部材は、前記クリッピングガイドウェイとスライダとの密接力を提供することができ、また弾力係合部材の両弾力係合部は前記係合台に係合して前記クリッピングガイドウェイを前記スライダに定位することができる。【選択図】    図３
2008128311.tif 000002
【特許請求の範囲】
【請求項１】
上保持器を含み、この上保持器の外方向に少なくとも一つの係合台が開設されるスライダと、
少なくとも一つの定位子を含み、前記スライダ上に組付けられるクリッピングガイドウェイと、
互いに連結する収納部及び両弾力係合部を含み、収納部により前記クリッピングガイドウェイの定位子に嵌入して係止され、弾力係合部がスライダ内の上保持器の係合台に係止してクリッピングガイドウェイをスライダに定位する弾力係合部材と
を含むことを特徴とする線形伝動システムの保持装置。
【請求項２】
前記クリッピングガイドウェイは、両保持部、少なくとも一つの弾性部材および少なくとも一つの定位子を含み、弾性部材および定位子はともに両保持部間に設置されることを特徴とする請求項１記載の線形伝動システムの保持装置。
【請求項３】
前記クリッピングガイドウェイは、両保持部、両Ｕ字形弾性片および両弾力係合部材定位ボスを含み、両保持部間が両Ｕ字形弾性片を接続して対称するように配置され、両保持部間は、それぞれ弾力係合部材定位ボスが相対的に設置されることを特徴とする請求項２記載の線形伝動システムの保持装置。
【請求項４】
前記弾力係合部材は、略Ω状をなし、かつ互いに連結する収納部、開口部および両弾力係合部を含み、収納部は、前記クリッピングガイドウェイの両弾力係合部材定位ボスに対応する円弧状で、開口部は、両弾力係合部材定位ボスより小さく形成されることを特徴とする請求項１ないし請求項３のいずれかに記載の線形伝動システムの保持装置。
【請求項５】
前記スライダの上保持器は、矩形状係合台を開設し、かつ前記弾力係合部材の両弾力係合部と前記係合台の内縁面とが接触して嵌入し、係合されていることを特徴とする請求項４記載の線形伝動システムの保持装置。
【発明の詳細な説明】
【技術分野】
【０００１】
本発明は、線形伝動システム、特に線形伝動システムの保持装置に関し、より詳細にはスライダに密接可能に組付けられ、本発明の弾力係合部材を利用して前記クリッピングガイドウェイを前記スライダ上に速やかに定位させることができ、取り外す場合、僅かな力でクリッピングガイドウェイを外すことができるので、クリッピングガイドウェイの全体的定位効果が向上され、クリッピングガイドウェイの取付け、取り外しの時間を短縮することができる線形伝動システムの保持装置に関する。
【背景技術】
【０００２】
線形伝動システムにおけるスライダは、レールと組付けるもので、かつスライダの内部における複数の転がり素子により前記レールと相対的に摺動することができる。スライダとレールとを分離するとき、転がり素子はスライダから落下することになる、この時、クリッピングガイドウェイは、このスライダとの組付けによりスライダ内の転がり素子が落下しないように用いられるものであるが、従来のクリッピングガイドウェイ自体は、このスライダに固定することができなかった上、転がり素子が極めて敏感なものであるため、やや斜めになるだけで、クリッピングガイドウェイがスライダを離脱して転がり素子が落下することになる。このため、数多くの改良が提案されており、より理想的な固定可能型クリッピングガイドウェイとしては、例えば、特開２００２−１０６５６０号の『直線案内装置におけるスライダ仮保持件材（線形伝動システムのクリッピングガイドウェイ）』が提案されており、それは、図１および図２に示すように、保持装置（１０）が旋回ブロック（１１）および本体（１２）を備えている。
【０００３】
旋回ブロック（１１）は、さらに旋回ボス部（１１１）および両係合凸条（１１２）を備えており、旋回ボス部（１１１）は円柱形で、前記旋回ブロック（１１）の作動方向に突出して延伸され、両係合凸条（１１２）が旋回ボス部（１１１）の周囲面に対称的、かつ径方向に突設される。
【０００４】
本体（１２）は、凹穴部（１２１）および両係合溝（１２２）が設けられ、凹穴部（１２１）は、前記旋回ブロック（１１）の旋回ボス部（１１１）の形に対応して本体（１２）内に設置され、両係合溝（１２２）が旋回ブロック（１１）の係合凸条（１１２）の位置に対応して凹穴部（１２１）内に設置されている。
【０００５】
前記の旋回ブロック（１１）と本体（１２）とを組付ける場合、旋回ブロック（１１）の旋回ボス部（１１１）を本体（１２）の凹穴部（１２１）内に挿入して旋回ブロック（１１）の係合凸条（１１２）を本体（１２）の係合溝（１２２）と係合させる。
【０００６】
このような従来の保持装置（１０）は、スライダ内に固定するとき、保持装置（１０）の両端に前記旋回ブロック（１１）を取り付けなければならず、また旋回ブロック（１１）が旋回ボス部（１１１）を軸として１８０度回転されることで、旋回ブロック（１１）の係合凸条（１１２）が１８０度回転された後、再び前記本体（１２）の係合溝（１２２）とを係止して固定する。このように保持装置（１０）の両端における旋回ブロック（１１）とともに旋回されたとき、保持装置（１０）を落下することなくスライダ上に固定することができ、図２に示すように、この従来の保持装置（１０）の構造組成及び動作を説明する図である。しかし、以下、前記の従来のものに存在する問題である。
【０００７】
その一、従来の保持装置（１０）は、両端の旋回ブロック（１１）を旋回して従来の保持装置（１０）をスライダに定位することである。しかし、取り付け、または取り外す度に両端の旋回ブロック（１１）をともに制御しなければ達成できず、またこの従来の保持装置（１０）と前記スライダとを組み付ける際、完璧に配合できず、たとえ両端が既に取り付けられても僅かな緩みで揺動する問題を有している。そのため、この従来の保持装置（１０）はスライダ内に定位できても、該保持装置（１０）とスライダとの間は、隙間が依然存在して密接することができず、また取り付け、取り外す時両端の旋回ブロックを制御しなければならないため、時間の無駄、または手間がかかる。
【０００８】
その二、前記従来の保持装置（１０）の定位は、両端の旋回ブロック（１１）の係合凸条（１１２）と本体（１２）の係合溝（１２２）との係止により両旋回ブロック（１１）を定位させ、始めて、この従来の保持装置（１０）を定位させる目的を達成できる。しかし、複数回に使用した後、この旋回ブロック（１１）の係合凸条（１１２）および本体（１２）の係合溝（１２２）は、必ず磨耗の問題が生じてくるので、この従来の保持装置（１０）は、ある時間使用した後、交換しなければならず、長い時間では使用者にコストの増加につながる。
【０００９】
前記の係る議題を有効に改善するために、本願の発明者は、今までの線形伝動システムの領域に積重ねた研究開発の技術および経験を生かして数多くの試験または試みをした後、漸く斬新的な線形伝動システムの保持装置を発展することができた。
【特許文献１】特開２００２−１０６５６０号
【発明の開示】
【発明が解決しようとする課題】
【００１０】
まず、本発明の第１の目的は、クリッピングガイドウェイの取り付け、または取り外すの手続きを簡略化するとともに時間を短縮することにある。また、本発明の目的は、クリッピングガイドウェイの固定能力を強化し、線形伝動システムの保持装置が壊れ難くすることにある。
【課題を解決するための手段】
【００１１】
本発明の線形伝動システムの保持装置は、スライダ、クリッピングガイドウェイ及び弾力係合部材を含む。スライダは、上保持器を含み、この上保持器の外方向に少なくとも一つの係合台が開設される。クリッピングガイドウェイは、少なくとも一つの定位子を含み、前記スライダ上に組付けられる。弾力係合部材は、互いに連結する収納部及び両弾力係合部を含み、収納部により前記クリッピングガイドウェイの定位子に嵌入して係止され、弾力係合部がスライダ内の上保持器の係合台に係止してクリッピングガイドウェイをスライダに定位する。
【００１２】
クリッピングガイドウェイは、両保持部、少なくとも一つの弾性部材および少なくとも一つの定位子を含み、弾性部材および定位子はともに両保持部間に設置することもできる。また、クリッピングガイドウェイは、両保持部、両Ｕ字形弾性片および両弾力係合部材定位ボスを含み、両保持部間が両Ｕ字形弾性片を接続して対称するように配置され、両保持部間は、それぞれ弾力係合部材定位ボスを相対的に設置することもできる。弾力係合部材は、略Ω状をなし、かつ互いに連結する収納部、開口部および両弾力係合部を含み、収納部は、前記クリッピングガイドウェイの両弾力係合部材定位ボスに対応する円弧状で、開口部は、両弾力係合部材定位ボスより小さく形成することもできる。スライダの上保持器は、矩形状係合台を開設し、かつ前記弾力係合部材の両弾力係合部と前記係合台の内縁面とが接触して嵌入し、係合することもできる。
【発明の効果】
【００１３】
クリッピングガイドウェイとスライダとを組付けるとき、クリッピングガイドウェイ間の両弾性部材を圧縮してスライダに組付け、さらに弾力係合部材で該クリッピングガイドウェイをスライダに定位させることによって、組付けを完成して定位することができる。そして、取り外すとき、クリッピングガイドウェイを押動して弾力係合部材をスライダから離脱することができ、クリッピングガイドウェイは、スライダから外すことができるため、当該クリッピングガイドウェイの取り付け、または取り外しの方面から、いずれも簡易化で、かつ速やかにできる優点を有する。
【００１４】
また本発明の弾力係合部材は、クリッピングガイドウェイの両定位子及びスライダの上保持器を係合する可能であるため、クリッピングガイドウェイは、弾力係合部材の係止固定によりその固定機能を大幅に向上することができる。さらに、クリッピングガイドウェイ間の両弾性部材は、その回復力により外方向に拡張されクリッピングガイドウェイとスライダとの密接がさらに向上される。間隙の存在により緩んで揺動することがなく、またクリッピングガイドウェイの両弾性部材及び弾力係合部材は、ともに弾性材からなるものであるため、本発明は、従来のような磨耗、使用寿命または交換等の問題を生ずることがない。
【発明を実施するための最良の形態】
【００１５】
本発明は、前記の目的を達成するために用いる技術、手段およびその他の効果について、実施例として図面を合わせながら下記のように詳しく説明することによって、本発明の目的、特徴およびその他の優点は、ここからより深く具体的に理解するべきである。
【実施例】
【００１６】
本発明の実施例について、図３及び図４を参照して説明する。線形伝動システムの保持装置２０は、スライダ２１、クリッピングガイドウェイ２２および弾力係合部材２３を備えている。
【００１７】
前記スライダ２１は、本体２１１、上保持器２１２、両中間保持器２１３、両下保持器２１４および複数の転がり素子２１５が含まれ、本体２１１は、凹字状のブロック体で、上組付面２１１１、両中間組付面２１１２および両下組付面２１１３が含まれる。前記上保持器２１２は、本体２１１の上組付面２１１１に組み付けられ、さらに、上保持器２１２は、外方向への矩形状の係合台２１２１が開設され、両中間保持器２１３がそれぞれ前記本体２１１の両中間組付面２１１２に組み付けられ、両中間保持器２１３は、それぞれ当接面２１３１を有し、両下保持器２１４がそれぞれ前記本体２１１の両下組付面２１１３に組付けている。各転がり素子２１５は、ともに前記本体２１１、前記上保持器２１２、両中間保持器２１３および両保持器２１４が組成された空間内に配置され、図５に示すように、スライダ２１内の上保持器２１２の係合台２１２１数は、一つのみでなく、二個または三個などを増加することもできる。
【００１８】
クリッピングガイドウェイ２２の主な部材は、両保持部２２１、両Ｕ字形弾性片２２２（ここは、本発明における弾性部材の一つの実施例である。）および両弾力係合部材定位ボス２２３（ここは、本発明における定位子の一つの実施例である。）からなり、両Ｕ字形弾性片２２２は、両保持部２２１の間に設置され、かつ両保持部２２１が対称するように配置される。また、両保持部２２１上にそれぞれ弾力係合部材定位ボス２２３が向かって設置され、図６および図７に示すように、前記クリッピングガイドウェイ２２と前記スライダとを組み付けたとき、まず、クリッピングガイドウェイ２２の両保持部２２１を対向に押圧させ、両Ｕ字形弾性片２２２が蓄力状態にならしめ、さらにクリッピングガイドウェイ２２を前記保持器２１２、両中間保持器２１３、両下保持器２１４および各転がり素子２１５から構成された空間Ａ内に放置し、かつ、クリッピングガイドウェイ２２の両保持部２２１は、前記スライダ２１の転がり素子２１５と両中間保持器２１３の当接面２１３１とを密接し、図５に示すように、当該クリッピングガイドウェイ２２のＵ字形弾性片２２２と弾力係合部材定位ボス２２３数は、二つのみでなく、一つにすることも可能である。
【００１９】
弾力係合部材２３の横断面は、略Ω状に形成され、互いに連結する収納部２３１および弾力係合部２３３が含まれ、収納部２３１は、その横断面が円弧状で、かつ該収納部２３１が前記クリッピングガイドウェイ２２の両弾力係合部材定位ボス２２３に対応して互いに係止可能で、この収納部２３１の下方は、略一つの開口２３２に縮まれ、またその突出した両端が前記スライダ２１内の上保持器２１２の係合台２１２１に対応して両弾力係合部２３３が延出され、かつ両弾力係合部２３３間の距離は、図８および図９に示すように、前記係合台２１２１より大きく形成される。以上は、本発明の外観的構造の概述である。
【００２０】
本発明の優点は、さらに、その特色をより明らかにするために、下記のように論述する。
【００２１】
その一、クリッピングガイドウェイ２２をスライダ２１に取り付け固定するとき、弾力係合部材２３の収納部２３１と前記クリッピングガイドウェイ２２の両弾力係合部材定位ボス２２３とを係合するだけで、弾力係合部材２３の両弾力係合部２３３を対向させ蓄力状態に押圧された後、前記スライダ２１内の上保持器２１２の係合台２１２１に蛇位置し、前記両弾力係合部２３３の外方向への復元力により、この係合台２１２１の内縁とを接触して速やかに係止し固定するように嵌入する。かつ弾力係合部材２３の開口２３２は、前記の収納部２３１より小さく、また前記の両弾力係合部材定位ボス２２３の外径より小さく形成されるので、図１０に示すように、この弾力係合部材２３を両弾力係合部材定位ボス２２３に係止し脱落し難くなる。
【００２２】
クリッピングガイドウェイ２３を取り外ししようとする場合、クリッピングガイドウェイ２２の何れかの方向に押動するだけで、弾力係合部材２３の一つの弾力係合部２３３が押されて蓄力状態になり、かつ弾力係合部材２３の収納部２３１のまま前記クリッピングガイドウェイ２２の両弾力係合部材定位ボス２２３とを係止しているので、押圧された弾力係合部２３３が蓄積された力が両弾力係合部材定位ボス２２３を軸心として回転する力に転換され、クリッピングガイドウェイ２２は他の弾力係合部２３３まで推移され係合台２１２１に離れたとき、この弾力係合部材２３は、両弾力係合部材定位ボス２２３を円心として両弾力係合部２３３が該係合台２１２１から完全に離脱するまで回転する。従って、本発明は、クリッピングガイドウェイ２２の取り付け、または取り外しが速やかに、かつ手間もかからないようにする。従来の保持装置１０は、両旋回ブロック１１を制御するための手間がかかり、またその固定効果も従来の保持装置１０より優れている。
【００２３】
その二、クリッピングガイドウェイを配置するとき、クリッピングガイドウェイ２２は、空間Ａより大きく形成されているので、クリッピングガイドウェイ２２間の両Ｕ字形弾性片２２２の弾性を利用して該クリッピングガイドウェイ２２の両保持部２２１間の距離を圧縮させ、クリッピングガイドウェイ２２を前記空間Ａ内に配置することができ、さらに両Ｕ字形弾性片２２２の復元力により両保持部２２１を外方向へ広げさせ、クリッピングガイドウェイ２２の両保持部２２１とスライダ２１の転がり素子２１５及び両中間保持器２１３の当接面２１３１とを密接させ、図５に示すように、従来の保持装置１０を組み付けても揺動する現象がなく、また本発明のクリッピングガイドウェイ２２を定位するための素子の何れも弾性材からなるものであるため、従来のように磨耗して常に交換する虞がないので、当業者にとってかなりの進歩ともいえる。本発明の前記の内容および各素子数は、単なる本発明のより好ましい実施例及び設計図面にすぎず、本発明の範囲を制限するものはなく、当該技術範囲を運用して実施するその他のものは、本発明の保護範囲に属するべきである。
【００２４】
前記を総じて、本発明は、線形伝動システムの保持装置であって、スライダ、クリッピングガイドウェイ及び弾力係合部材を備えた。前記スライダは、上保持器を含み、さらに上保持器に係合台が開設され、前記クリッピングガイドウェイは、両保持部および両弾性部材が含まれ、両保持部の間が両弾性部材で接続して対称に配置され、かつ両保持部間の距離は、両弾性部材により変更可能で、かつ弾力係合部材は前記クリッピングガイドウェイの両保持部に枢設されると同時、前記上保持器に対応する係合台に両弾力係合部が設けられ、クリッピングガイドウェイが前記スライダに取り付けられたとき、クリッピングガイドウェイの両弾性部材は、前記クリッピングガイドウェイとスライダとの密接力を提供することができ、また弾力係合部材の両弾力係合部は前記係合台に係合して前記クリッピングガイドウェイを前記スライダに定位することができる。
【産業上の利用可能性】
【００２５】
従って、本発明は、既に「産業上の利用可能性」を備えていることは明らかで、かつ本実施例に開示された技術特徴においても出願前の諸刊行物またはメディアに開示されず、また公開に使用することもなく、その付加的な効果の増進も見損なうことができないので、本発明は、「新規性」及び「進歩性」の何れも特許としての要件に合致してので、法により出願して審査を通じて逸早く許可されることを期する。
【図面の簡単な説明】
【００２６】
【図１】従来の保持装置の立体見取図。
【図２】従来の保持装置の立体組合図。
【図３】本発明の実施例の立体図。
【図４】本発明の実施例の立体分解図。
【図５】本発明の実施例の部分組合断面図。
【図６】本発明の実施例のクリッピングガイドウェイの立体図。
【図７】本発明の実施例のクリッピングガイドウェイの断面図。
【図８】本発明の実施例の弾力係合部材の立体図。
【図９】本発明の実施例の弾力係合部材の断面図。
【図１０】本発明の実施例の組合断面図。
【符号の説明】
【００２７】
＜従来技術＞
１０    従来の保持装置                １１    旋回ブロック
１１１    旋回ボス部                  １１２    係合凸条
１２    本体                        １２１    凹穴部
１２２    係合溝
＜本発明＞
２０    線形伝動システムの保持装置
２１    スライダ                    ２１１    本体
２１１１    上組付面                  ２１１２    中間組付面
２１１３    下組付面                    ２１２    上保持器
２１２１    係合台                      ２１３    中間保持器
２１３１    当接面                      ２１４    下保持器
２１５    転がり素子
２２    クリッピングガイドウェイ    ２２１    保持部
２２２    Ｕ字形弾性片                ２２３    弾力係合部材定位ボス
２３    弾力係合部材                ２３１    収納部
２３２    開口                        ２３３    弾力係合部
Ａ    空間
【図１】
2008128311.tif 000003
【図２】
2008128311.tif 000004
【図３】
2008128311.tif 000005
【図４】
2008128311.tif 000006
【図５】
2008128311.tif 000007
【図６】
2008128311.tif 000008
【図７】
2008128311.tif 000009
【図８】
2008128311.tif 000010
【図９】
2008128311.tif 000011
【図１０】
2008128311.tif 000012